Podtech/llm-jp-corpus-v4-ja_patent huggingface dataset:
【手続補正書】
【提出日】平成17年9月15日(2005.9.15)
【手続補正１】
【補正対象書類名】明細書
【補正対象項目名】特許請求の範囲
【補正方法】変更
【補正の内容】
【特許請求の範囲】
【請求項１】
鑑別対象者に起きやすい化粧崩れの種類の鑑別法であって、鑑別対象者の皮膚の微小立体構造を指標とすることを特徴とする方法。
【請求項２】
皮膚の微小立体構造が、皮溝と皮丘の形状であることを特徴とする、請求項１に記載の方法。
【請求項３】
皮膚の微小立体構造が、皮膚のレプリカ及び／又はビデオマイクロスコープによる画像から判別されるものであることを特徴とする、請求項１又は２に記載の方法。
【請求項４】
鑑別の対象が、化粧料の局在化による化粧崩れ、または、化粧料の脱落による化粧崩れであって、皮溝、皮丘が明確であれば化粧料の局在化による化粧崩れを起こしやすく、皮溝、皮丘が不明瞭であれば化粧料の脱落による化粧崩れを起こしやすいと鑑別することを特徴とする、請求項１〜３のいずれか一項に記載の方法。
【請求項５】
鑑別対象の皮膚の微小立体構造を、比較基準となる皮膚の微小立体構造像と比較することを特徴とする、請求項１〜４のいずれか一項に記載の方法。  
【請求項６】
化粧崩れのしにくい化粧料を選択する方法であって、
化粧料使用者の皮膚の微小立体構造を指標として、該使用者に起きやすい化粧崩れの種類を鑑別し、
鑑別された化粧崩れの種類に対応して適合した化粧料を選択することを特徴とする方法。
【手続補正２】
【補正対象書類名】明細書
【補正対象項目名】０００２
【補正方法】変更
【補正の内容】
【０００２】
【従来の技術】
化粧は、取り分け、メークアップ化粧は、見た目に美しく、又、他人に於ける印象形成を好ましいものとするために行うものである。この為、もとの地肌の欠点をカバーするため
に色材或いは粉体類が使用され、かかる色材や粉体類を油脂マトリックスとともに皮膚上に密着させて、視覚的に、演色効果を実現させているものである。従って、その効果のもとになっている色材や粉体類が、経時的に、最初塗布した状態と異なってくると、その効果は変化してしまい、当初の効果を実現できなくなる。これが所謂化粧崩れといわれる。化粧崩れの種類は、単一ではないと言われており、例えば、乾燥状態の色材が皮脂や汗によって濡れることにより、色調を変化させるような化粧崩れや、皮膚に付着している化粧料が汗や皮脂によって流され、化粧部位に於ける化粧料の存在にムラやバラツキが出来てくるような化粧崩れなどが知られている。化粧崩れには皮脂の分泌が絡んでいることは間違いないが、皮脂分泌量の多い人が化粧崩れを起こしやすいわけでもない。前記の化粧崩れのパターンと皮膚生理との関係については未知の部分が多いと言える。この様な化粧崩れの種類により、これを防ぐ手段は異なってくるが、現在のところ、どの様な化粧崩れを起こしているかは、どの様な化粧料を使うと化粧崩れが起こりにくいかによって知るしかなく、化粧崩れの鑑別法は未だ開発されていない状態であるといえる。
【手続補正３】
【補正対象書類名】明細書
【補正対象項目名】０００５
【補正方法】変更
【補正の内容】
【０００５】
【課題の解決手段】
この様な状況に鑑みて、本発明者らは、化粧崩れの種類を鑑別する方法を求めて、鋭意研究努力を重ねた結果、皮膚の微小立体構造を指標とすることにより、化粧崩れの鑑別が的確に行えることを見出し、発明を完成させるに至った。即ち、本発明は、以下に示す技術に関するものである。
（１）鑑別対象者に起きやすい化粧崩れの種類の鑑別法であって、鑑別対象者の皮膚の微小立体構造を指標とすることを特徴とする方法。
（２）皮膚の微小立体構造が、皮溝と皮丘の形状であることを特徴とする、（１）に記載の方法。
（３）皮膚の微小立体構造が、皮膚のレプリカ及び／又はビデオマイクロスコープによる画像から判別されるものであることを特徴とする、（１）又は（２）に記載の方法。
（４）鑑別の対象が、化粧料の局在化による化粧崩れ、または、化粧料の脱落による化粧崩れであって、皮溝、皮丘が明確であれば化粧料の局在化による化粧崩れを起こしやすく、皮溝、皮丘が不明瞭であれば化粧料の脱落による化粧崩れを起こしやすいと鑑別することを特徴とする、（１）〜（３）の何れかに記載の方法。
（５）鑑別対象の皮膚の微小立体構造を、比較基準となる皮膚の微小立体構造像と比較することを特徴とする、（１）〜（４）のいずれかに記載の方法。
（６）化粧崩れのしにくい化粧料を選択する方法であって、
化粧料使用者の皮膚の微小立体構造を指標として、該使用者に起きやすい化粧崩れの種類を鑑別し、
鑑別された化粧崩れの種類に対応して適合した化粧料を選択することを特徴とする方法。
【手続補正４】
【補正対象書類名】明細書
【補正対象項目名】００１２
【補正方法】変更
【補正の内容】
【００１２】
（１）色材の濡れ変化による化粧崩れに対する対応策
この様な崩れに対する対応策は、大きく分けて２つある。一つは皮脂乃至は汗に濡れないように色材を処理することであり、もう一つは色材の濡れ状況が変わらないようにするこ
とである。第一の対応としては、色材類の表面処理が挙げられる。かかる表面処理としては、ハイドロジェンメチルポリシロキサンやジメチルポリシロキサンを焼き付けたシリコーン処理、ジアルキルジアルコキシシラン等のシランカップリング剤で処理したシランカップリング剤処理、アシルグルタミン酸アルミニウム塩等で処理したアシルアミノ酸塩処理、レシチン等で被覆したレシチン処理などが好ましく例示できる。この様な処理に於ける処理量は、粉体全量に対して処理剤が１〜３０重量％である。又、色材の濡れ状況を変わらなくさせる方策としては、例えば色材に油脂を含浸させ、新たに皮脂などで濡れないようにさせる手だてがある。この様な手だてはオイルゲル化粧料では有利である。含真に使用する油脂量は、色材などの粉体と同量乃至は１０倍量である。現在のメークアップ化粧料に於いては、殆どの場合、色材に表面処理が施されていることから、この色材の濡れ変化に起因する化粧崩れが問題になるケースはさほど多くないと考えられる。
【手続補正５】
【補正対象書類名】明細書
【補正対象項目名】００１３
【補正方法】変更
【補正の内容】
【００１３】
（２）化粧料の局在化による化粧崩れに対する対応策
化粧料の局在化において注目すべきことは、この様な現象がチタンマイカなどの板状のものに起こりやすいことであり、この意味で、局在化が問題になるような使用者に対しては、この様な板状粉体、パール顔料などの配合を極力抑えた化粧料を選択することが適切である。又、皮脂や汗と混和しにくく、且つ、皮膚との密着力のある、キャンデリラワックス、カルナウバワックス等の高融点ワックス類またはポリエチレンを含有させることも有利である。これらの含有量は、化粧料全量に対して１〜５重量％が好ましい。加えて、過剰に存在する皮脂や汗をトラップするため、中空のアクリル樹脂粉体、アルミニウム塩や酸化亜鉛等をイナートしたベントナイト等の、分極部分を有するクラスレート粉体等を含有させることも適切であるといえる。この様な成分の好ましい含有量は、化粧料全量に対して１〜３０重量％である。又、下地となる化粧料に於いて、油脂を多く含まないものを選択するのも肝要である。
【手続補正書】
【提出日】平成16年12月16日(2004.12.16)
【手続補正１】
【補正対象書類名】明細書
【補正対象項目名】特許請求の範囲
【補正方法】変更
【補正の内容】
【特許請求の範囲】
【請求項１】
コンタクトレンズを収納する収納部が形成された収納体と、該収納体に装着されることにより前記収納部を封止する蓋体とを含む容器本体を備え、前記収納部の封止状態が解除されて該収納部からコンタクトレンズが取り出された後に廃棄されるコンタクトレンズ収納容器であって、
前記蓋体は、前記収納部の封止状態において前記収納体に係合される係合部材を備えており、
前記収納部の封止状態が解除された後に該収納部が前記蓋体によって再び封止されることを防止する再封止防止手段を備え、
該再封止防止手段は、前記封止状態の解除に伴って前記係合部材を前記蓋体から脱離することにより、前記容器本体の形状に不可逆的な変化を生じさせ、前記蓋体による収納部の再封止を防止する手段であり、
前記蓋体から脱離した係合部材が前記収納体に残留する
コンタクトレンズ収納容器。
【請求項２】
コンタクトレンズを収納する収納部が形成された収納体と、該収納体に装着されることにより前記収納部を封止する蓋体とを含む容器本体を備え、前記収納部の封止状態が解除されて該収納部からコンタクトレンズが取り出された後に廃棄されるコンタクトレンズ収納容器であって、
前記収納体は、前記収納部の封止状態において前記蓋体に係合される係合部材を備えており、
前記収納部の封止状態が解除された後に該収納部が前記蓋体によって再び封止されることを防止する再封止防止手段を備え、
該再封止防止手段は、前記封止状態の解除に伴って前記係合部材を前記収納体から脱離することにより、前記容器本体の形状に不可逆的な変化を生じさせ、前記蓋体による収納部の再封止を防止する手段であり、
前記収納体から脱離した係合部材が前記蓋体に残留する
コンタクトレンズ収納容器。
【請求項３】
前記収納体は、前記収納部として、左目用のコンタクトレンズを収納する第一収納部と、右目用のコンタクトレンズを収納する第ニ収納部とを備えた請求項１または２に記載のコンタクトレンズ収納容器。
【請求項４】
前記第一収納部および前記第ニ収納部の双方を封止する一の前記蓋体を設けた請求項３に記載のコンタクトレンズ収納容器。
【請求項５】
請求項１ないし４のいずれかに記載のコンタクトレンズ収納容器であって、
前記蓋体は、前記収納体に嵌合することにより前記収納部を封止するものであり、
前記再封止防止手段は、該蓋体と該収納体との嵌合状態の解除に伴って該蓋体および該収納体の少なくとも一方の形状に不可逆的な変化を生じさせることにより、前記蓋体による収納部の再封止を防止する手段である
コンタクトレンズ収納容器。
【請求項６】
請求項１ないし４のいずれかに記載のコンタクトレンズ収納容器であって、
前記収納部の封止状態を確保する部材として、前記収納体と該収納体に装着された前記蓋体とを挟持する挟持体を備え、
前記再封止防止手段は、該挟持体による挟持の解除に伴って該挟持体および前記蓋体または前記収納体の少なくとも一方の形状に不可逆的な変化を生じさせることにより、前記収納部の再封止を防止する手段である
コンタクトレンズ収納容器。
【手続補正書】
【提出日】平成17年3月2日(2005.3.2)
【手続補正１】
【補正対象書類名】明細書
【補正対象項目名】００２４
【補正方法】変更
【補正の内容】
【００２４】
前記上面１３には水平方向（即ち図１の左右方向）に沿って延びるようにガイドレール１６が設けられている。このガイドレール１６上には一対のスライダ部材１７が摺動可能に係合され、それらのスライダ部材１７の上部にはヘッド支持体１８が一体的に設けられている。ヘッド支持体１８の上端部には第１モータブラケット１９が設けられ、その第１モータブラケット１９を介して第１モータ２０が下向きで固定されている。ヘッド部上下方向駆動手段である前記第１モータ２０の有する回転軸は、上下方向駆動用ボールねじのねじ部材２１に連結されている。上下方向に沿って延びる前記ねじ部材２１は、上下方向駆動用ボールねじを構成するナット部材２２に螺合されている。また、ナット部材２２はヘッド本体２３と連結されている。よって、第１モータ２０を駆動させてねじ部材２１を回転させると、その回転運動がナット部材２２によって直線運動に変換され、ナット部材２２及びヘッド本体２３が一体的に上下動するようになっている。
【手続補正２】
【補正対象書類名】明細書
【補正対象項目名】００２５
【補正方法】変更
【補正の内容】
【００２５】
また、図１においてヘッド支持体１８の右脇には、第２モータブラケット３１が設けられ、その第２モータブラケット３１を介して第２モータ３２が横向きで固定されている。ヘッド部水平方向駆動手段である前記第２モータ３２の有する回転軸は、水平方向駆動用ボールねじのねじ部材３３に連結されている。水平方向に沿って延びる前記ねじ部材３３は、水平方向駆動用ボールねじを構成するナット部材３４に螺合されている。また、ナット部材３４はヘッド支持体１８に対して固定されている。よって、第２モータ３２を駆動させてねじ部材３３を回転させると、その回転運動がナット部材３４によって直線運動に変換され、ナット部材３４、ヘッド支持体１８及びヘッド本体２３が一体的に水平移動するようになっている。なお、図１においてはヘッド本体２３がトレイ固定治具６１のある位置付近まで移動した状態も併せて示されている（同図の二点鎖線参照）。
【手続補正３】
【補正対象書類名】明細書
【補正対象項目名】００３２
【補正方法】変更
【補正の内容】
【００３２】
また、図５に示されるように、トレイ固定治具６１を構成する治具本体６２についても、電磁石７１と同様に、鉄層７２と真鍮層７３とを交互に横方向に並べて積層した構造となっている。なお、治具本体６２における鉄層７２は、電磁石７１における鉄層７２の直上に位置している。治具本体６２における真鍮層７３は、電磁石７１における真鍮層７３の直上に位置している。
【手続補正書】
【提出日】平成17年8月30日(2005.8.30)
【手続補正１】
【補正対象書類名】明細書
【補正対象項目名】特許請求の範囲
【補正方法】変更
【補正の内容】
【特許請求の範囲】
【請求項１】  生体組織を把持するアームを有するクリップと、
このクリップに嵌着して装着することによりクリップのアームを閉脚する締付部材と、
前記クリップと係合する連結部材と、
この連結部材と連結され内視鏡のチャンネルに進退自在に挿通される操作部材と、
からなる生体組織の結紮装置において、
前記クリップのアームを前記チャンネルの曲率に沿って断面略円弧状に形成したことを特徴とする生体組織の結紮装置。
【請求項２】  前記クリップは、閉脚したとき、一対のアームが略円筒状をなすことを特徴とする請求項１記載の生体組織の結紮装置。
【請求項３】  内視鏡のチャンネルを通じて体腔内に導入され、生体組織を把持する一対のアームと、前記アームを閉じる方向に動かす締付部材と、からなり、生体組織を把持した状態で生体内に留置させる生体組織の結紮装置において、
前記アームを前記チャンネルの曲率に沿って断面略円弧状に形成したことを特徴とする生体組織の結紮装置。
【請求項４】  内視鏡のチャンネルを通じて体腔内に導入され、生体組織を把持する一対のアームと、前記アームを閉じる方向に動かす締付部材と、からなり、生体組織を把持した状態で生体内に留置させる生体組織の結紮装置において、
前記アームを前記チャンネルの曲率に沿って断面略円弧状に形成し、前記アームを前記チャンネル内に直接挿通自在としたことを特徴とする生体組織の結紮装置。
【請求項５】  生体組織を把持するアームを有するクリップと、
このクリップに嵌着して装着することによりクリップのアームを閉脚する締付部材と、
前記クリップと係合する連結部材と、
この連結部材と連結され内視鏡のチャンネルに進退自在に挿通される操作部材と、
からなる生体組織の結紮装置において、
前記クリップのアームを前記チャンネルの曲率に沿って断面略円弧状に形成し、前記クリップを前記チャンネル内に直接挿通自在にしたことを特徴とする生体組織の結紮装置。
【手続補正２】
【補正対象書類名】明細書
【補正対象項目名】０００７
【補正方法】変更
【補正の内容】
【０００７】
【課題を解決するための手段】
この発明は、前記目的を達成するために、請求項１は、生体組織を把持するアームを有するクリップと、このクリップに嵌着して装着することによりクリップのアームを閉脚する締付部材と、前記クリップと係合する連結部材と、この連結部材と連結され内視鏡のチャンネルに進退自在に挿通される操作部材とからなる生体組織の結紮装置において、前記クリップのアームを前記チャンネルの曲率に沿って断面略円弧状に形成したことを特徴とする。
【手続補正３】
【補正対象書類名】明細書
【補正対象項目名】００１０
【補正方法】変更
【補正の内容】
【００１０】
請求項４は、内視鏡のチャンネルを通じて体腔内に導入され、生体組織を把持する一対のアームと、前記アームを閉じる方向に動かす締付部材と、からなり、生体組織を把持した状態で生体内に留置させる生体組織の結紮装置において、前記アームを前記チャンネルの曲率に沿って断面略円弧状に形成し、前記アームを前記チャンネル内に直接挿通自在としたことを特徴とする。
請求項５は、生体組織を把持するアームを有するクリップと、このクリップに嵌着して装着することによりクリップのアームを閉脚する締付部材と、前記クリップと係合する連結部材と、この連結部材と連結され内視鏡のチャンネルに進退自在に挿通される操作部材とからなる生体組織の結紮装置において、前記クリップのアームを前記チャンネルの曲率に沿って断面略円弧状に形成し、前記クリップを前記チャンネル内に直接挿通自在にしたことを特徴とする。
【手続補正書】
【提出日】平成17年6月3日(2005.6.3)
【手続補正１】
【補正対象書類名】明細書
【補正対象項目名】特許請求の範囲
【補正方法】変更
【補正の内容】
【特許請求の範囲】
【請求項１】
本体と、本体からの制御によりＸ線を発生するＸ線発生部と、発生したＸ線の照射野を調整するＸ線可動絞りとを有し、自走可能なＸ線装置であって、
前記Ｘ線可動絞りは、
撮影条件を設定するための撮影条件設定部と、
撮影条件以外の条件を制御する非撮影条件制御部とを具えることを特徴とするＸ線装置。
【請求項２】
さらに前記撮影条件設定部および非撮影条件制御部と本体との間に、撮影条件設定部および非撮影条件制御部と本体との信号の入出力を一括して制御する一括制御部を有することを特徴とする請求項１に記載のＸ線装置。
【請求項３】
前記非撮影条件制御部は、Ｘ線装置の進退を制御する移動スイッチを有することを特徴とする請求項1に記載のＸ線装置。
【請求項４】
前記非撮影条件制御部は、Ｘ線照射中心軸方向への距離を測定する距離計を有することを特徴とする請求項1に記載のＸ線装置。
【請求項５】
前記非撮影条件制御部は、表示手段と、前記撮影条件設定部で設定した撮影条件および前記距離計の測定結果とを切り替えて表示手段に表示する切替手段とを有することを特徴とする請求項4に記載のＸ線装置。
【請求項６】
前記非撮影条件制御部は、前記Ｘ線発生部およびＸ線絞りの移動を制動するブレーキ機構の解除スイッチを有することを特徴とする請求項1に記載のＸ線装置。
【手続補正書】
【提出日】平成16年9月17日(2004.9.17)
【手続補正１】
【補正対象書類名】明細書
【補正対象項目名】００１２
【補正方法】変更
【補正の内容】
【００１２】
【発明の実施の形態】
（実施形態１）
本実施形態は、マンマシンインターフェース処理を専用アプリケーションで行うものであり、図１の破線ブロックにシステム本体の要部構成を示す。
【手続補正書】
【提出日】平成16年9月7日(2004.9.7)
【手続補正１】
【補正対象書類名】明細書
【補正対象項目名】請求項４
【補正方法】変更
【補正の内容】
【請求項４】
前記送受信切り換え手段は、データ通信を行っていない場合には、前記一の無線通信方式に対応する送受信手段を選択していることを特徴とする請求項３に記載の携帯通信端末。
【手続補正２】
【補正対象書類名】明細書
【補正対象項目名】０００１
【補正方法】変更
【補正の内容】
【０００１】
【発明の属する技術分野】
本発明は、複数の無線通信方式で通信可能な携帯通信端末に係り、特に、データ受信状態に応じて無線通信方式を切り換える携帯通信端末及び無線通信システムに関する。
【手続補正書】
【提出日】平成16年6月18日(2004.6.18)
【手続補正１】
【補正対象書類名】明細書
【補正対象項目名】００１２
【補正方法】変更
【補正の内容】
【００１２】
発明６に係るスピニングリールのスプールは、発明５に記載のスプールにおいて、後フランジ部及びスカート部は、外装部材と一体形成されている。この場合には、糸巻胴部の外周部に加えて後フランジ部とスカート部も高級感がある外観になるとともに、後フランジ部及びスカート部をさらに軽量化できる。
【手続補正２】
【補正対象書類名】明細書
【補正対象項目名】００３２
【補正方法】変更
【補正の内容】
【００３２】
摩擦部６２は、図３に示すように、第１部材６３に接触する第１ディスク９１と、第１ディスクに回転不能に係止された第２ディスク９２と、第１ディスク９１と第２ディスク９２との間に配置された第３ディスク９４と、第１ディスク９１と糸巻胴部７との間に装着されたドラグ発音機構９３とを有している。
【手続補正３】
【補正対象書類名】図面
【補正対象項目名】図４
【補正方法】変更
【補正の内容】
【図４】
2002345368.tif 000001
【手続補正書】
【提出日】平成16年6月9日(2004.6.9)
【手続補正１】
【補正対象書類名】明細書
【補正対象項目名】特許請求の範囲
【補正方法】変更
【補正の内容】
【特許請求の範囲】
【請求項１】
人体の体脂肪を測定する方法において、腹部周径囲を測定し、該腹部周径囲の測定結果に基づいて腹部総脂肪面積を演算することを特徴とする方法。
【請求項２】
人体の体脂肪を測定する方法において、腹部周径囲を測定し、該腹部周径囲の測定結果に基づいて内臓脂肪面積を演算することを特徴とする方法。
【請求項３】
前記腹部周径囲の測定結果に基づく腹部総脂肪面積または内臓脂肪面積の演算において、少なくとも身長を含む個人的パラメータに基づく補正を行うことを特徴とする請求項１または２に記載の方法。
【請求項４】
前記腹部周径囲は、周径囲測定装置により入力する請求項１または２または３に記載の方法。
【請求項５】
前記腹部周径囲は、データ入力スイッチにより入力する請求項１または２または３に記載の方法。
【請求項６】
人体の体脂肪を測定する装置において、腹部周径囲を入力する第１の入力手段と、この第１の入力手段からのデータに基づいて腹部総脂肪面積を演算する演算手段とを備えることを特徴とする装置。
【請求項７】
人体の体脂肪を測定する装置において、腹部周径囲を入力する第１の入力手段と、この第１の入力手段からのデータに基づいて内臓脂肪面積を演算する演算手段とを備えることを特徴とする装置。
【請求項８】
少なくとも身長を含む個人的パラメータを入力する第２の入力手段を更に備えると共に、前記演算手段が、前記第１の入力手段からのデータに基づく腹部総脂肪面積または内臓脂肪面積の演算において、前記第２の入力手段からのデータに基づく補正を行うことを特徴とする請求項６または７に記載の装置。
【請求項９】
前記第１の入力手段は、周径囲測定装置である請求項６または７または８に記載の装置。
【請求項１０】
前記第１の入力手段は、データ入力スイッチである請求項６または７または８に記載の装置。
【請求項１１】
前記第２の入力手段は、データ入力スイッチである請求項８に記載の装置。
【請求項１２】
前記第２の入力手段から入力される個人的パラメータが、性別および／または年令を更に含む個人的パラメータである請求項８または１１に記載の装置。
【手続補正２】
【補正対象書類名】明細書
【補正対象項目名】０００６
【補正方法】変更
【補正の内容】
【０００６】
【課題を解決するための手段】
本発明の一つの観点によれば、人体の体脂肪を測定する方法において、腹部周径囲を測定し、該腹部周径囲の測定結果に基づいて腹部総脂肪面積を演算することを特徴とする方法が提供される。
【手続補正３】
【補正対象書類名】明細書
【補正対象項目名】０００７
【補正方法】変更
【補正の内容】
【０００７】
本発明の別の観点によれば、人体の体脂肪を測定する方法において、腹部周径囲を入力し、該腹部周径囲の測定結果に基づいて内臓脂肪面積を演算することを特徴とする方法が提供される。
本発明の一つの実施の形態によれば、前記腹部周径囲の測定結果に基づく腹部総脂肪面積または内臓脂肪面積の演算において、少なくとも身長を含む個人的パラメータに基づく補正を行う。
【手続補正４】
【補正対象書類名】明細書
【補正対象項目名】０００８
【補正方法】変更
【補正の内容】
【０００８】
本発明の別の実施の形態によれば、前記腹部周径囲は、周径囲測定装置により入力する。
【手続補正５】
【補正対象書類名】明細書
【補正対象項目名】０００９
【補正方法】変更
【補正の内容】
【０００９】
本発明のさらに別の実施の形態によれば、前記腹部周径囲は、データ入力スイッチにより入力する。
【手続補正６】
【補正対象書類名】明細書
【補正対象項目名】００１０
【補正方法】変更
【補正の内容】
【００１０】
本発明のさらに別の観点によれば、人体の体脂肪を測定する装置において、腹部周径囲を入力する第１の入力手段と、この第１の入力手段からのデータに基づいて腹部総脂肪面積を演算する演算手段とを備えることを特徴とする装置が提供される。
【手続補正７】
【補正対象書類名】明細書
【補正対象項目名】００１１
【補正方法】変更
【補正の内容】
【００１１】
本発明のさらに別の観点によれば、人体の体脂肪を測定する装置において、腹部周径囲を入力する第１の入力手段と、この第１の入力手段からのデータに基づいて内臓脂肪面積を演算する演算手段とを備えることを特徴とする装置が提供される。
本発明の一つの実施の形態によれば、前記装置において、少なくとも身長を含む個人的パラメータを入力する第２の入力手段を更に備えると共に、前記演算手段が、前記第１の入力手段からのデータに基づく腹部総脂肪面積または内臓脂肪面積の演算において、前記第２の入力手段からのデータに基づく補正を行う。
【手続補正８】
【補正対象書類名】明細書
【補正対象項目名】００１２
【補正方法】変更
【補正の内容】
【００１２】
本発明の別の実施の形態によれば、前記第１の入力手段は、周径囲測定装置である。
【手続補正９】
【補正対象書類名】明細書
【補正対象項目名】００１３
【補正方法】変更
【補正の内容】
【００１３】
本発明のさらに別の実施の形態によれば、前記第１の入力手段は、データ入力スイッチである。
【手続補正１０】
【補正対象書類名】明細書
【補正対象項目名】００１５
【補正方法】変更
【補正の内容】
【００１５】
本発明のさらに別の実施の形態によれば、前記第２の入力手段から入力される個人的パラメータが、性別および／または年令を更に含む個人的パラメータである。
【手続補正書】
【提出日】平成17年3月11日(2005.3.11)
【手続補正１】
【補正対象書類名】明細書
【補正対象項目名】特許請求の範囲
【補正方法】変更
【補正の内容】
【特許請求の範囲】
【請求項１】
不要のデータを含む第一の複数の行（Ｒ１〜Ｒ１２８）と、関心のあるデータを含む第二の複数の行（Ｒ１２９〜Ｒ１１５２）とを含む行（Ｒ１〜Ｒ１２８０）及び列（Ｃ１〜Ｃ１３６５）を成して配列されている所定数の検出器素子（４０）を備えた検出器アレイ（２２）からデータを読み出すＸ線システム（１４）において、前記関心のあるデータを読み出す効率を高めるべく患者へのＸ線の照射に関連して前記検出器素子の起動を調整する装置であって、Ｘ線を発生するＸ線管（１５）と、該Ｘ線管を起動して所定の第一の時間（Ｅ１）中に前記検出器にＸ線を照射するように構成されている照射制御部（３４）と、前記第一の時間の少なくとも部分的に前に又は前記第一の時間中に前記第一の複数の行を起動する（Ｉ１）と共に、前記第一の時間の後に前記第二の複数の行を起動する（Ｒ１）ように構成されている検出器制御器（２７）と、前記第一の時間の後に前記第二の複数の行のデータを読み出すように構成されている画像プロセッサ（２８）とを備えた装置。
【請求項２】
前記システムは、前記検出器の視野を選択するように構成されている操作者インタフェイス（３８）を含んでおり、前記第一の複数の行は前記選択された視野の外部に位置する請求項１に記載の装置。
【請求項３】
前記検出器素子は、第一のエッジ（Ｅ１）、第二のエッジ（Ｅ２）、及び前記第一のエッジと前記第二のエッジとの間の中央線（Ｍ）を画定しており、前記第一の複数の行は前記第一のエッジに隣接する第一の群（Ｒ１〜Ｒ１２８）及び前記第二のエッジに隣接する第二の群（Ｒ１１５２〜Ｒ１２８０）を含んでおり、前記第一の群は前記第一のエッジから前記中央線に向かう方向に起動され、前記第二の群は前記第二のエッジから前記中央線に向かう方向に起動される請求項１に記載の装置。
【請求項４】
前記行は行選択線（４６）を含んでおり、前記列は列信号線（４７、４９）を含んでおり、前記検出器素子（４０）は各々、フォトダイオード（４２）とトランジスタ（４４）とを含んでおり、該トランジスタは、行選択線と列信号線との間で前記フォトダイオードに接続しており、前記検出器制御器は、各々の行の前記トランジスタを通電状態に切り換えることにより当該各々の行を起動する請求項１に記載の装置。
【請求項５】
前記検出器素子は、第一のエッジ、第二のエッジ、及び前記第一のエッジと前記第二のエッジとの間の中央線を画定しており、前記検出器素子は、前記列信号線が前記第一のエッジに隣接して位置している第一の区画（Ｒ１〜Ｒ６４０）と、前記列信号線が前記第二のエッジに隣接して位置している第二の区画（Ｒ６４１〜Ｒ１２８０）とに分割されている請求項４に記載の装置。
【請求項６】
前記検出器制御器は、前記検出器素子の起動に不必要な第一の複数の出力と、前記検出器素子の起動に必要な第二の複数の出力とを有する複数の駆動モジュールを含んでおり、前記検出器制御器は、前記第一の時間の少なくとも部分的に前に又は前記第一の時間中に前記第一の複数の出力を起動すると共に、前記第一の時間の後に前記第二の複数の出力を起動する請求項１に記載の装置。
【請求項７】
不要のデータを含む第一の複数の行（Ｒ１〜Ｒ１２８）と、関心のあるデータを含む第二の複数の行（Ｒ１２９〜Ｒ１１５２）とを含む行（Ｒ１〜Ｒ１２８０）及び列（Ｃ１〜Ｃ１３６５）を成して配列されている所定数の検出器素子（４０）を備えた検出器アレイ（２２）からデータを読み出すＸ線システム（１４）において、前記関心のあるデータを読み出す効率を高めるべく患者へのＸ線の照射に関連して前記検出器素子の起動を調整する方法であって、Ｘ線を発生する工程と、所定の第一の時間中に前記検出器にＸ線を照射する工程と、前記第一の時間の少なくとも部分的に前に又は前記第一の時間中に前記第一の複数の行を起動すると共に、前記第一の時間の後に前記第二の複数の行を起動する工程と、前記第一の時間の後に前記第二の複数の行のデータを読み出す工程とを備えた方法。
【請求項８】
前記検出器の視野を選択する工程をさらに含んでおり、前記第一の複数の行は前記選択された視野の外部に位置する請求項７に記載の方法。
【請求項９】
前記検出器素子は、第一のエッジ（Ｅ１）、第二のエッジ（Ｅ２）、及び前記第一のエッジと前記第二のエッジとの間の中央線（Ｍ）を画定しており、前記第一の複数の行は前記第一のエッジに隣接する第一の群（Ｒ１〜Ｒ１２８）及び前記第二のエッジに隣接する第二の群（Ｒ１１５２〜Ｒ１２８０）を含んでおり、前記起動する工程は、前記第一の複数の行を前記第一のエッジから前記中央線に向かう方向に起動し、前記第二の群を前記第二のエッジから前記中央線に向かう方向に起動する工程とを含んでいる請求項７に記載の方法。
【請求項１０】
前記行は行選択線（４６）を含んでおり、前記列は列信号線（４７、４９）を含んでおり、前記検出器素子（４０）は各々、フォトダイオード（４２）とトランジスタ（４４）とを含んでおり、該トランジスタは、行選択線と列信号線との間で前記フォトダイオードに接続しており、前記起動する工程は、前記行の前記トランジスタを通電状態に切り換える工程を含んでいる請求項７に記載の方法。
【手続補正書】
【提出日】平成16年5月21日(2004.5.21)
【手続補正１】
【補正対象書類名】明細書
【補正対象項目名】００１０
【補正方法】変更
【補正の内容】
【００１０】
本発明の別の観点によれば、排尿前後の体重値を計測する体重計測部と、前記体重計測部で計測された排尿前後の体重値を記憶する第一記憶部と、前記第一記憶部で記憶された排尿前後の体重値から総排尿量を求める排尿演算部と、前記排尿演算部で求められた総排尿量を出力する出力部とを備えることを特徴とする排尿計が提供される。
【手続補正２】
【補正対象書類名】明細書
【補正対象項目名】００２８
【補正方法】変更
【補正の内容】
【００２８】
続いて、排尿演算部１６において、このノイズが取り除かれた排尿中の体重変化量と排尿中の時間とのデータから排尿中の排尿量を求める（ステップ１０）。排尿量は、体重変化量を尿の比重で除すことにより求める。例えば、尿の比重を水と同じように１g／mlであって、排尿中にサンプリングされた一時点の体重変化量が１０gであった場合には、１０／１＝１０mlで排尿中にサンプリングされた一時点の排尿量となる。排尿開始から終了までにわたる排尿量を時系列的に結果を表すと、図５の排尿量と時間との関係の結果の一例を示すグラフのようになる。縦軸に排尿量、横軸に時間を表す。排尿が進むに従って当然に排尿量が増加する傾向となり、排尿開始から終了までの排尿量のトータルが総排尿量となる。更に、排尿演算部では、この排尿量と時間との関係の結果のデータを用いて微分することにより、排尿中の尿流率を求める（ステップ１１）。図６の尿流率と時間との関係の結果の一例を示すグラフのように、縦軸に尿流率、横軸に時間を表す。ピークの箇所がＭＦＲとなる。また、排尿中の尿流率の平均を求めて、ＡＦＲを求めてもよい。
【手続補正書】
【提出日】平成17年9月6日(2005.9.6)
【手続補正１】
【補正対象書類名】明細書
【補正対象項目名】０１０７
【補正方法】変更
【補正の内容】
【０１０７】
上記の条件を複数設定し、それぞれの定数を記録するフローを図１２に示す。これにより、より細かな課金の形態を実施することが可能となる。本フローにおいては、内視鏡の総挿入時間と画像撮影枚数を共に記録することにより、挿入しても撮影しなかった場合は、撮影した場合よりも課金額を減額するよう構成されている。なお、本フローにおいては、内視鏡Ａ、内視鏡Ｂ、およびその他の内視鏡の挿入時間をそれぞれtA, tB, tC、単位時間あたりの課金額をそれぞれm6A, m6B, m6Cとする。また、内視鏡Ａ、内視鏡Ｂ、およびその他の内視鏡における画像撮影回数をそれぞれpA, pB, pC、画像撮影1回あたりの課金額をそれぞれm7A,m7B, m7Cとする。
【手続補正２】
【補正対象書類名】明細書
【補正対象項目名】０１１０
【補正方法】変更
【補正の内容】
【０１１０】
ステップS704Aでは、t1Aに内視鏡が挿入したときの時刻が代入される。次いでステップS705Aに進む。ステップS705Aでは、内視鏡１００の操作ボタン１０９が押下されて画像が撮影されるまで（S705A : No）待機する。画像が撮影された後(S705A : Yes)ステップS706Aに進む。ステップS706Aでは変数pAの値に1が加算される。次いでステップS707Aに進む。ステップS707Aでは内視鏡が抜去されたかどうかの判別を行っている。内視鏡１００が抜去されたことを判別すると（S707A : Yes）、ステップS708Aに進む。内視鏡１００が抜去されていなければ（S707A : No）、ステップS705Aに戻り、次の画像撮影まで待機する。
【手続補正書】
【提出日】平成17年5月10日(2005.5.10)
【手続補正１】
【補正対象書類名】明細書
【補正対象項目名】特許請求の範囲
【補正方法】変更
【補正の内容】
【特許請求の範囲】
【請求項１】
対象物の２次元スライス画像を作成するために使用される、複数の受信コイルを含む磁気共鳴イメージング（ＭＲＩ）システムにおいて、データ収集の際の撮像領域が撮像対象物の断面より小さく、これにより、収集したｋ空間データを画像データに変換するときに、折り返された画像部分を含む折り返された画像が結果として生じ、該画像部分での折り返された画素強度が、適切に位置した画素及び少なくとも１つの折り返された画素の各々からの強度を含み、各々の受信コイルが上記対象物の断面内の各位置からＭＲＩ信号を受け取ると共に、該コイルがスライス内の異なる点からの信号にどの様に応動するかを示すコイル固有の感度を有している場合に、前記ＭＲＩシステムに使用される方法であって、当該方法は、前記折り返された画像部分を展開するときに画素の信号対ノイズ比を増大する方法であり、当該方法は、前記折り返された画像部分内の各画素について、前記複数コイルのシステム内の各コイルについてコイル感度を識別し、これらのコイル感度を配列して、各画素についての感度マトリクスＳを形成するステップ（２００）と、前記画素に対応する各コイルからの強度を配列して、強度マトリクスを形成するステップ（２０４）と、前記感度マトリクスＳを修正することによって修正コイル感度マトリクスＳ’を作成するステップ（２０８、２１０、２１２）と、前記修正コイル感度マトリクスの逆マトリクスを作成するステップ（２１４）と、前記逆マトリクスに前記強度マトリクスを乗算して、前記画素に対応する展開した画素スピン密度を含むスピン密度マトリクスを作成するステップ（２１６）と、前記スピン密度マトリクスを使用して、最終画像を作成するステップ（２２０）と、を含む前記方法。
【請求項２】
前記修正コイル感度マトリクスＳ’を作成するステップは、前記感度マトリクスＳに補正マトリクスを数学的に組み合わせて最小化マトリクスを作成するステップ（２１０、２１２）を含んでいる、請求項１記載の方法。
【請求項３】
前記数学的に組み合わせるステップは、前記感度マトリクスのエルミート共役を決定し、該エルミート共役と前記感度マトリクスとを数学的に組み合わせて中間マトリクスを作成するステップ（２１０）、及び該中間マトリクスと前記補正マトリクスとを数学的に組み合わせるステップを含んでいる、請求項２記載の方法。
【請求項４】
前記数学的に組み合わせて中間マトリクスを作成するステップは、前記エルミート・マトリクスと前記感度マトリクスとを乗算するステップを含んでいる、請求項３記載の方法。
【請求項５】
前記数学的に組み合わせて最小化マトリクスを作成するステップは、前記補正マトリクスと前記感度マトリクスとを加算するステップを含んでいる、請求項４記載の方法。
【請求項６】
対象物の２次元スライス画像を作成するために使用される、複数の受信コイルを含む磁気共鳴イメージング（ＭＲＩ）システムにおいて、データ収集の際の撮像領域が撮像対象物の断面より小さく、これにより、収集したｋ空間データを画像データに変換するときに、折り返された画像部分を含む折り返された画像が結果として生じ、該画像部分での折り返された画素強度が、適切に位置した画素及び少なくとも１つの折り返された画素の各々からの強度を含み、各々の受信コイルが上記対象物の断面内の各位置からＭＲＩ信号を受け取ると共に、該コイルがスライス内の異なる点からの信号にどの様に応動するかを示すコイル固有の感度を有している場合に、前記ＭＲＩシステムに使用される装置であって、当該装置は、少なくとも１つの折り返された画素を展開するときに最終画像の画素の信号対ノイズ比を増大する装置であり、当該装置は、前記折り返された画像内の各画素について、前記複数コイルのシステム内の各コイルについてコイル感度を識別し、これらのコイル感度を配列して感度マトリクスＳを形成する手段（２００）と、前記画素に対応する強度を配列して、強度マトリクスを形成する手段（２０４）と、前記感度マトリクスＳを修正することによって修正コイル感度マトリクスＳ’を作成する手段（２０８、２１０、２１２）と、前記修正コイル感度マトリクスの逆マトリクスを作成する手段（２１４）と、前記逆マトリクスに前記強度マトリクスを乗算して、前記画素に対応する最終画像の画素についてスピン密度マトリクスを作成する手段（２１６）と、前記スピン密度マトリクスを使用して、最終画像を作成する手段（２２０）と、を含む前記装置。
【請求項７】
前記修正コイル感度マトリクスＳ’を作成する手段は、前記感度マトリクスＳに補正マトリクスを数学的に組み合わせて最小化マトリクスを作成する手段（２１０）を含んでいる、請求項６記載の装置。
【請求項８】
前記数学的に組み合わせる手段は、前記感度マトリクスのエルミート共役を決定する手段（２１０）、該エルミート共役と前記感度マトリクスとを数学的に組み合わせて中間マトリクスを作成する手段（２１０）、及び該中間マトリクスと前記補正マトリクスとを数学的に組み合わせる手段を含んでいる、請求項７記載の装置。
【請求項９】
前記数学的に組み合わせて中間マトリクスを作成する手段は、前記エルミート・マトリクスと前記感度マトリクスとを乗算する手段を含んでいる、請求項８記載の装置。
【請求項１０】
対象物の２次元スライス画像を作成するために使用される、複数の受信コイルを含む磁気共鳴イメージング（ＭＲＩ）システムにおいて、データ収集の際の撮像領域が撮像対象物の断面より小さく、これにより、収集したｋ空間データを画像データに変換するときに、折り返された画像部分を含む折り返された画像が結果として生じ、該画像部分での折り返された画素強度が、適切に位置した画素及び少なくとも１つの折り返された画素の各々からの強度を含み、各々の受信コイルが上記対象物の断面内の各位置からＭＲＩ信号を受け取ると共に、該コイルがスライス内の異なる点からの信号にどの様に応動するかを示すコイル固有の感度を有している場合に、前記ＭＲＩシステムに使用される方法であって、当該方法は、折り返された画像部分を展開するときに画像部分の信号対ノイズ比を増大する方法であり、当該方法は、前記折り返された画像内の各画素について、前記複数コイルのシステム内の各コイルについてコイル感度を識別し、これらのコイル感度を配列して感度マトリクスＳを形成するステップ（２００）と、各コイルからの前記折り返された画像の画素に対応する強度を配列して、強度マトリクスを形成するステップ（２０４）と、前記感度マトリクスＳを修正することによって修正コイル感度マトリクスＳ’を作成するステップ（２０８、２１０、２１２）と、前記修正コイル感度マトリクスの逆マトリクスを作成するステップ（２１４）と、前記逆マトリクスに前記強度マトリクスを乗算して、前記折り返された画像の画素に対応する最終画像の画素についてスピン密度マトリクスを作成するステップ（２１６）と、前記スピン密度マトリクスを使用して、ＭＲ画像を作成するステップ（２２０）と、を含む前記方法。
【手続補正書】
【提出日】平成16年12月17日(2004.12.17)
【手続補正１】
【補正対象書類名】明細書
【補正対象項目名】特許請求の範囲
【補正方法】変更
【補正の内容】
【特許請求の範囲】
【請求項１】
患者の体内のパラメータの計測のために、患者の体内に植え込まれる遠隔通信型医療センサであって、
ハウジングと、
前記ハウジングの一端に配置されて前記パラメータに応じて変形しうる薄膜と、
前記ハウジングの内部に配置され、前記薄膜に作動的に通じており、前記パラメータを示す信号を送信するためのマイクロチップを備え、前記信号がデジタル信号であり、前記マイクロチップが光電セルのアレイを備えており、
前記光電セルに光を送るＬＥＤと、
前記薄膜に連結されて、前記薄膜の変形に応じて、前記光電セルと前記ＬＥＤの間を移動可能なシャッタとを備えた遠隔通信型医療センサ。
【請求項２】
前記光電セルは、千鳥状の列になるように配置されていることを特徴とする請求項１に記載のセンサ。
【請求項３】
前記アレイは基準用の光電セルを有することを特徴とする請求項２に記載のセンサ。
【請求項４】
前記基準用の光電セルは前記シャッタで覆い隠されないことを特徴とする請求項３に記載のセンサ。
【請求項５】
前記マイクロチップは、前記光電セルに作動的に接続された複数のコンパレータをさらに備えていることを特徴とする請求項４に記載のセンサ。
【請求項６】
前記マイクロチップは、前記コンパレータに作動的に接続されて、前記デジタル信号を格納して送るためのバッファをさらに備えることを特徴とする請求項５に記載のセンサ。
【請求項７】
前記マイクロチップに作動的に接続されたアンテナをさらに備えることを特徴とする請求項１に記載のセンサ。
【請求項８】
前記アンテナが前記ハウジングの外部に配置されていることを特徴とする請求項７に記載のセンサ。
【請求項９】
前記センサを組織に定着させるために弾性的に前記ハウジングに取り付けられた複数の定着用脚部をさらに備えることを特徴とする請求項７に記載のセンサ。
【請求項１０】
前記ハウジングは、その外面にノッチを有することを特徴とする請求項７に記載のセンサ。
【請求項１１】
前記ハウジングは、さらにノッチに周溝を有することを特徴とする請求項１０に記載のセンサ。
【請求項１２】
前記ハウジングは先細の端部を有することを特徴とする請求項７に記載のセンサ。
【請求項１３】
前記先細の端部は貫入端を有することを特徴とする請求項１２に記載のセンサ。
【請求項１４】
前記先細の端部は螺旋状の線条をさらに有することを特徴とする請求項１３に記載のセンサ。
【請求項１５】
前記アンテナがワイヤによって形成されていることを特徴とする請求項７に記載のセンサ。
【請求項１６】
前記ワイヤは銀およびプラチナ・イリジウムを含有することを特徴とする請求項１５に記載のセンサ。
【請求項１７】
前記アンテナは２０回乃至２５回の撚りを有することを特徴とする請求項１６に記載のセンサ。
【手続補正書】
【提出日】平成16年4月16日(2004.4.16)
【手続補正１】
【補正対象書類名】明細書
【補正対象項目名】特許請求の範囲
【補正方法】変更
【補正の内容】
【特許請求の範囲】
【請求項１】
前面に開口部２を有する収納棚本体１の該開口部２の外面２ａに、該収納棚本体１からガイド手段Ｇにより支持された左右にスライド可能なスライド扉３を設け、該収納棚本体１の内部に個別収納体26を手前引出し自在に設け、上記スライド扉３が、左右２枚の左スライド扉３′と右スライド扉３″から成り、全閉状態で該左スライド扉３′と該右スライド扉３″とが同一鉛直平面状に位置し、かつ、上記ガイド手段Ｇは、上記左右スライド扉３′，３″の内の一方を開くとき一旦手前に引き出してから幅方向へスライドして、全開状態で上記左右スライド扉３′，３″の内の他方の外面に重なるように開閉ガイドすることを特徴とするスライド扉式収納棚。
【請求項２】
上記２枚の左スライド扉３′と右スライド扉３″夫々が、上記収納棚本体１の全幅の１／２の幅寸法を有し、上記左右スライド扉３′，３″の内の一方を全開状態としたとき、該左右スライド扉３′，３″の内の他方の外面に完全に重なるよう構成した請求項１記載のスライド扉式収納棚。
【請求項３】
上記個別収納体26が上記収納棚本体１の上部で、上記収納棚本体１の全幅の略１／２の幅寸法を有する引下げ個別収納部27と、該引下げ個別収納部27を所定位置Ａから引き出して下方作業位置Ｂまで引き下ろすよう構成した引下げ手段Ｈと、を備えた請求項１又は２記載のスライド扉式収納棚。
【手続補正２】
【補正対象書類名】明細書
【補正対象項目名】００５１
【補正方法】変更
【補正の内容】
【００５１】
さらに、スライド扉３′，３″は鉛直面同一平面上に配置されるため、収納棚全体の厚さを薄くすることができる。スライド扉３′，３″の開閉を、扉同士や扉を収納棚本体１にぶつけたりすることがなく、確実にスムーズに行うことができる。


【手続補正３】
【補正対象書類名】明細書
【補正対象項目名】００５２
【補正方法】変更
【補正の内容】
【００５２】
（請求項２によれば）スライド扉３′，３″の開閉を、確実にスムーズに行うことができる。また、収納棚の開口部２を、左右夫々完全に50％半開状態にさせ、収納部を合計100 ％有効に開口させることができ、収納物の取り出しを非常に容易にすることができる。特に、個別収納体26をスライド扉３′，３″に干渉することなく、手前へスムーズに引き出すことを実現している。


【手続補正４】
【補正対象書類名】明細書
【補正対象項目名】００５３
【補正方法】変更
【補正の内容】
【００５３】
（請求項３によれば）スライド扉３を開状態としたとき、開口部２の全幅100 ％（Ｗ）のうちの50％の幅（Ｗ／２）を有する引出し操作が容易な、個別収納部を構成することができ、収納棚本体１の幅を100 ％有効利用可能とし、引出し操作のため不要に収納庫本体１を大きくしたり、個別収納部の幅寸法を小さくしたりする必要がなくなる。また、収納棚本体１の背が高くても、幅広の引下げ個別収納部27を下方へ引出し可能となり、収納性の極めて高い収納棚とすることができる。
【手続補正書】
【提出日】平成17年4月5日(2005.4.5)
【手続補正１】
【補正対象書類名】明細書
【補正対象項目名】請求項７
【補正方法】変更
【補正の内容】
【請求項７】
（ｉ）十分量のウルソール酸及びオレアノール酸を含有する天然物質を選択する工程、
（ｉｉ）ａ）工程（ｉ）の天然物質又は
ｂ）工程（ｉｉｉａ）の微粉砕もしくは粉砕した湿潤物質
を水分量１０重量％未満まで乾燥する工程、
（ｉｉｉ）ａ）工程（ｉ）の湿潤天然物質又は
ｂ）工程（ｉｉａ）の乾燥天然物質
を微粉砕もしくは粉砕する工程、
（ｉｖ）ａ）工程（ｉｉｉｂ）で生じた微粉砕もしくは粉砕した物質又は
ｂ）工程（ｉｉａ）からの微粉砕もしくは粉砕した物質
を有機溶媒、好ましくはアセトン、酢酸エチル又はエタノールで抽出し、前記溶媒中の最終濃縮物の抽出物を回収する工程、並びに
（ｖ）工程（ｉｖａ）又は工程（ｉｖｂ）の後に得られた抽出物から溶媒を除去する工程により、請求項１乃至３のいずれか１請求項に記載の濃縮物を製造する方法。
【手続補正２】
【補正対象書類名】明細書
【補正対象項目名】請求項８
【補正方法】変更
【補正の内容】
【請求項８】  工程（ｉｉ）又は工程（ｉｉｉ）の前又は後に、水溶液で洗浄し、湿潤生成物が得られる場合には続いて乾燥する、請求項７に記載の方法であり、好ましくは、前記水溶液を、水溶液と天然物質との重量比が２：１より大きく、好ましくは５：１乃至３０：１となるように与える方法。
【手続補正３】
【補正対象書類名】明細書
【補正対象項目名】０００２
【補正方法】変更
【補正の内容】
【０００２】
【従来技術】
ウルソール酸及びオレアノール酸は、多くの果実の果皮から単離できるよく知られた化合物である。適用できる果実の果皮の典型的な一例は、リンゴの果皮であるが、たとえば米国特許５４９８４６０号の第２欄１６乃至２０行に、より多くの入手源が開示されている。文献（例えばＪＰ０６／０２０６７４又はＳＵ８２７０６６又はｄｅ  Ｓｏｕｓａ  ＭｅｎｅｚｅｓによるＡｎａｉｓ  ｄａ  Ｂｒａｓ  ｄｅ  Ｃｉｎｃｉａｓ、Ａｃａｄ  Ｂｒａｓｉｌｅｉｒａ  ｄｅ  Ｃｉｎｃｉａｓ、リオデジャネイロ、７０巻、１９９８年、７６１頁又はＢｏｃｋらによるＤｉｅ  Ｎａｈｒｕｎｇ、１０巻、１９６６年、４０９頁又はＣｒｏｔｅａｕによるＰｈｙｔｏｃｈｅｍ、８巻、１９６９年、２１９頁参照）では、果実の果皮からウルソール酸及び／又はオレアノール酸を単離する標準的な操作法は、アセトン又はエタノールのような有機溶媒を用いてそれらの果皮の抽出を行うことである。しかし、先行技術の成果は、多くの理由から満足できないものである。得られた生成物が強度に変な味を有し、食品への使用の妨げになることが見出された。さらに、それらの化合物は低収率でしか得られなかったが、これは果実の果皮の中に、恐らくは単分子及び高分子の糖類残渣であろう未確認の有機化合物が多量に存在するためであると思われたが、このために、抽出生成物の後処理がきわめて困難となる。さらに、得られる生成物の純度が食品への使用を容認し得ると考えられるよりもずっと低いことが見出され、又、それらの生成物は望ましくない緑がかった色をして、そのため、淡い又はマイルドな色を有すべき食品に使用するのにはあまり適切ではない。
【手続補正４】
【補正対象書類名】明細書
【補正対象項目名】０００７
【補正方法】変更
【補正の内容】
【０００７】
前記新規濃縮物は食品サプリメントの形で使用することもでき、それゆえ、本発明は、又、カプセル中に包封された形態で本発明の濃縮物を含有する食品サプリメントに関する。前記濃縮物は、食品級又は食品として許容し得る物質中に包封することができ、特に、そのために使用するカプセル化物質は、糖類、でんぷん、化工でんぷん、ヒドロコロイド、ガム及びゼラチンから成る群から選ばれる。
【手続補正５】
【補正対象書類名】明細書
【補正対象項目名】０００８
【補正方法】変更
【補正の内容】
【０００８】
天然の廃棄物質から有用なウルソール酸及びオレアノール酸の濃縮物を単離するための経済的で実行可能なルートを可能ならしめるために、本願発明者らは新規な方法を開発した。本方法は、所望の活性成分（この廃棄物質中に存在するウルソール酸及びオレアノール酸）のより高い収率へと導くと同時に、これらの活性化合物が従来達成し得たよりも、より純粋な形で得られた。かくして、本願発明の他の一態様によれば、本願発明は、又、
（ｉ）十分量のウルソール酸及びオレアノール酸を含有する天然物質を選択する工程、
（ｉｉ）ａ）工程（ｉ）の天然物質又は
ｂ）工程（ｉｉｉａ）の微粉砕もしく粉砕した湿潤物質
を水分量１０重量％未満まで乾燥させる工程、
（ｉｉｉ）ａ）工程（ｉ）の湿潤天然物質又は
ｂ）工程（ｉｉａ）の乾燥天然物質
を微粉砕もしくは粉砕する工程、
（ｉｖ）ａ）工程（ｉｉｉｂ）で生じた微粉砕もしくは粉砕した物質又は
ｂ）工程（ｉｉａ）からの微粉砕もしくは粉砕した物質
を有機溶媒、好ましくはアセトン、酢酸エチル又はエタノールで抽出し、前記溶媒中の最終濃縮物抽出物を回収する工程、
（ｖ）工程（ｉｖａ）又は工程（ｉｖｂ）の後に得られた抽出物から溶媒を除去する工程
により、本発明の濃縮物を製造する方法に関する。